(57)【要約】【課題】積雪は三角柱状体の上面の網状体上に積もることになり、このため、屋根材上の積雪の滑落による落雪現象を防止することができ、軒下の不測の事故や雨樋の損傷を未然に防ぐことができ、かつ、網状体上の積雪が融けると、その融雪水は速やかに網状体の網目から落水し、融雪水の滞留を防いで融雪を促進することができると共につららの発生を抑制することができる。【解決手段】底板部、前板部及び上板部からなる複数個の三角状枠２を屋根勾配方向に直交する軒先方向に並列状に配置し、該並列状に配置した複数個の三角状枠間に桟杆３を架設して三角柱状体１を形成し、該三角柱状体の底面を屋根材Ｗ上に載置固定される載置面４に形成すると共に該三角柱状体の上面に網状体６を配設してなる。【選択図】        図１
2004270222.tif 000002
【特許請求の範囲】
【請求項１】
底板部、前板部及び上板部からなる複数個の三角状枠を屋根勾配方向に直交する軒先方向に並列状に配置し、該並列状に配置した複数個の三角状枠間に桟杆を架設して三角柱状体を形成し、該三角柱状体の底面を屋根材上に載置固定される載置面に形成すると共に該三角柱状体の上面に網状体を配設してなることを特徴とする屋根用落雪防止具。
【請求項２】
上記三角柱状体の前面に網状体を配設してなることを特徴とする請求項１記載の屋根用落雪防止具。
【請求項３】
上記三角状枠の底板部と上板部との間に補強桟を架設してなることを特徴とする請求項１又は２記載の屋根用落雪防止具。
【発明の詳細な説明】
【０００１】
【発明の属する技術分野】
本発明は例えば建物屋根の軒先部分に取り付けられる屋根用落雪防止具に関するものである。
【０００２】
【従来の技術】
従来から降雪地域おいては屋根上からの落雪による軒下の物損事故や時には人身事故も発生している。この落雪防止手段として、例えば、屋根上にアングル状の雪止め金具を配置する構造や雪止め機能をもつ雪止め突起を一体に形成した屋根材が知られている。
【０００３】
【発明が解決しようとする課題】
しかしながらこの従来構造の場合、例えば、豪雪地域おいては、必ずしも満足した雪止め機能を得ることができず、落雪による事故の発生を防止し得ないことがあるという不都合を有している。
【０００４】
【課題を解決するための手段】
本発明はこのような不都合を解決することを目的とし、本発明のうちで、請求項１記載の発明は、底板部、前板部及び上板部からなる複数個の三角状枠を屋根勾配方向に直交する軒先方向に並列状に配置し、該並列状に配置した複数個の三角状枠間に桟杆を架設して三角柱状体を形成し、該三角柱状体の底面を屋根材上に載置固定される載置面に形成すると共に該三角柱状体の上面に網状体を配設してなることを特徴とする屋根用落雪防止具にある。
【０００５】
又、請求項２記載の発明は、上記三角柱状体の前面に網状体を配設してなることを特徴とするものであり、又、請求項３記載の発明は、上記三角状枠の底板部と上板部との間に補強桟を架設してなることを特徴とするものである。
【０００６】
【発明の実施の形態】
図１乃至図４は本発明の実施の形態例を示し、１は三角柱状体であって、この場合、底板部２ａ、前板部２ｂ及び上板部２ｃからなる複数個の三角状枠２と、五個の桟杆３と、三角状枠２の底板部２ａの内面と上板部２ｃの内面との間に架設された補強桟４とからなり、この三角状枠２を屋根勾配方向に直交する軒先方向に並列状に配置し、この並列状に配置した複数個の三角状枠２間に桟杆３を架設して構成されている。
【０００７】
そして、上記三角柱状体１の底面を屋根材Ｗ上に載置固定される載置面５に形成すると共に三角柱状体１の上面及び前面にステンレス製金網からなる網状体６を配設している。尚、この網状体６としては、金属線材を交差させた網材や金属板材に複数個の丸穴等を散在形成した部材も含まれるものである。
【０００８】
この場合、三角状枠２はアルミニュウム製の長尺材を三角枠状に折曲形成すると共に折曲端部をリベット手段７により連結し、この三角状枠２の底板部２ａの内面と上板部２ｃとの内面との間にアルミニュウム製の長尺材からなる補強桟４をリベット手段７により架設連結し、この三角状枠２を複数個並列配置して折曲端部間にリベット手段７により桟杆３を架設すると共に底板部２ａ間にリベット手段７により二個の桟杆３を架設し、かつ上板部２ｃ間にリベット手段７により二個の桟杆３を架設し、網状体６を三角柱状体１の上面にアルミニュウム製の長尺材からなる押さえ板８により固定すると共に折り返した網状体６を前面部２ｂにリベット手段７により固定して構成している。
【０００９】
この実施の形態例は上記構成であるから、図４の如く、上記構造の屋根用落雪防止具Ｆを屋根材Ｗ上に例えばワイヤ等の連結具Ｔ・Ｔの縛着により例えば雪止め金具Ｋ及び雨樋Ｂを用いて配置固定することになり、積雪Ｓは三角柱状体１の上面の網状体６上に積もることになり、このため、屋根材Ｗ上の積雪Ｓの滑落による落雪現象を防止することができ、軒下の不測の事故や雨樋Ｂの損傷を未然に防ぐことができ、かつ、網状体６上の積雪Ｓが融けると、その融雪水は速やかに網状体６の網目から落水し、融雪水の滞留を防いで融雪を促進することができるとともにつららの発生を抑制することができる。
【００１０】
又、この場合、上記三角柱状体１の前面にも網状体６を配設してなるから、三角柱状体１内への横風による雪の進入を防ぐことができ、上面の網状体６からの融雪水を速やかに排出することができ、融雪を一層促進することができ、又、この場合、上記三角状枠２の底板部２ａの内面と上板部２ｃの内面との間に補強桟４を架設してなるから、三角状枠２の剛性を高めることができ、それだけ耐積雪荷重を大きくすることができ、使用の耐久性を高めることができる。
【００１１】
尚、本発明は上記実施の形態例に限らず、三角柱状体１、三角状枠２及び網状体６の形態や構造、大きさ等は適宜変更して設計される。
【００１２】
【発明の効果】
本発明は上述の如く、請求項１記載の発明にあっては、積雪は三角柱状体の上面の網状体上に積もることになり、このため、屋根材上の積雪の滑落による落雪現象を防止することができ、軒下の不測の事故や雨樋の損傷を未然に防ぐことができ、かつ、網状体上の積雪が融けると、その融雪水は速やかに網状体の網目から落水し、融雪水の滞留を防いで融雪を促進することができると共につららの発生を抑制することができる。
【００１３】
又、請求項２記載の発明にあっては、上記三角柱状体の前面に網状体を配設してなるから、三角柱状体内への横風による雪の進入を防ぐことができ、上面の網状体からの融雪水を速やかに排出することができ、融雪を一層促進することができ、又、請求項３記載の発明にあっては、上記三角状枠の底板部と上板部との間に補強桟を架設してなるから、三角状枠の剛性を高めることができ、それだけ耐積雪荷重を大きくすることができ、使用の耐久性を高めることができる。
【００１４】
以上所期の目的を充分達成することができる。
【図面の簡単な説明】
【図１】本発明の実施の形態例の全体斜視図である。
【図２】本発明の実施の形態例の全体側面図である。
【図３】本発明の実施の形態例の全体正面図である。
【図４】本発明の実施の形態例の使用状態の側面図である。
【符号の説明】
Ｗ  屋根材
Ｓ  積雪
１  三角柱状体
２  三角状枠
２ａ  底辺部
２ｂ  前板部
２ｃ  上板部
３  桟杆
４  補強桟
６  網状体
【図１】
2004270222.tif 000003
【図２】
2004270222.tif 000004
【図３】
2004270222.tif 000005
【図４】
2004270222.tif 000006